(57)【要約】  ＰＳＣの割当如何に関わらず移動局のハンドオーバ先を特定するため、移動通信システム(１)を構成するフェムト基地局(１０＿１〜１０＿３)の各々は、自基地局がＳＦＮの生成を開始する一のタイミングと、他の基地局がＳＦＮの生成をそれぞれ開始するタイミングとの間における互いに異なる位相差を記憶すると共に、前記一のタイミングで生成を開始したＳＦＮを、報知情報(１０１＿１〜１０１＿３)の各々に付加して無線送出する。移動局(２０)が在圏する一のフェムト基地局(１０＿１)は、自基地局に対して、報知情報(１０１＿１)に付加した一のＳＦＮ１と、移動局(２０)で受信された他のＳＦＮ２との差分に相当する位相差でＳＦＮの生成を開始するフェムト基地局(１０＿２)を、移動局(２０)のハンドオーバ先として特定する。
2011043015.tif 000002
【特許請求の範囲】
【請求項１】
自基地局がＳＦＮ（Ｓｙｓｔｅｍ Ｆｒａｍｅ Ｎｕｍｂｅｒ）の生成を開始する一のタイミングと、複数の隣接基地局がＳＦＮの生成をそれぞれ開始するタイミングとの間における、互いに異なる位相差を記憶する記憶手段と、
前記一のタイミングで生成を開始したＳＦＮを、報知情報に付加して無線送出する送出手段と、
自基地局に対して、前記報知情報に付加した一のＳＦＮと、自基地局に在圏する移動局で受信された他のＳＦＮとの第１の差分に相当する位相差でＳＦＮの生成を開始する隣接基地局を、前記移動局のハンドオーバ先として特定する特定手段と、
を備えた基地局。
【請求項２】
請求項１において、
前記特定手段は、
前記移動局から、自基地局がデータの無線送出に際して付加するＣＦＮ(Ｃｏｎｎｅｃｔｉｏｎ Ｆｒａｍｅ Ｎｕｍｂｅｒ)と、前記他のＳＦＮとの第２の差分を取得し、
前記第１の差分を、前記第２の差分、前記ＣＦＮ、及び前記一のＳＦＮを用いて算出することを特徴とした基地局。
【請求項３】
請求項１において、
前記特定手段が、前記移動局から、前記第１の差分を取得することを特徴とした基地局。
【請求項４】
請求項１〜３のいずれか一項において、
前記特定手段が、各基地局と通信可能なゲートウェイに、前記ハンドオーバ先として特定した基地局に対するハンドオーバ要求を中継させることを特徴とした基地局。
【請求項５】
請求項４において、
前記特定手段が、前記ゲートウェイとして、各基地局とコアネットワークの間の通信を中継するゲートウェイを用いることを特徴とした基地局。
【請求項６】
請求項１〜５のいずれか一項において、
前記送出手段が、前記一のタイミングの基準とする各基地局に共通の基準タイミングを、タイミングサーバから取得することを特徴とした基地局。
【請求項７】
請求項１〜５のいずれか一項において、
前記送出手段が、前記一のタイミングの基準とする各基地局に共通の基準タイミングを、ＧＰＳ（Ｇｌｏｂａｌ Ｐｏｓｉｔｉｏｎｉｎｇ Ｓｙｓｔｅｍ）衛星から取得することを特徴とした基地局。
【請求項８】
請求項１〜５のいずれか一項において、
前記送出手段が、前記一のタイミングを、各基地局に共通接続された保守装置からの指示に応じて設定することを特徴とした基地局。
【請求項９】
隣接して設置されたｎ個（ｎは３以上の整数）の基地局同士間の通信を中継する中継手段と、
前記ｎ個の基地局がＳＦＮ（Ｓｙｓｔｅｍ Ｆｒａｍｅ Ｎｕｍｂｅｒ）の生成をそれぞれ開始するタイミング同士間における、互いに異なる位相差を記憶する記憶手段と、
一の基地局から、前記一の基地局が報知情報に付加したＳＦＮと、前記一の基地局に在圏する移動局で受信された他の基地局が報知情報に付加したＳＦＮとの差分を受信し、前記一の基地局に対して前記差分に相当する位相差でＳＦＮの生成を開始する基地局を、前記移動局のハンドオーバ先として特定する特定手段と、
を備えたゲートウェイ。
【請求項１０】
請求項９において、
前記中継手段が、前記一の基地局からのハンドオーバ要求を、前記ハンドオーバ先として特定された基地局へ転送することを特徴としたゲートウェイ。
【請求項１１】
請求項９又は１０において、
前記中継手段が、各基地局とコアネットワークの間の通信をさらに中継することを特徴としたゲートウェイ。
【請求項１２】
請求項９〜１１のいずれか一項において、
前記互いに異なる位相差が、自ゲートウェイに接続された保守装置から指定されることを特徴としたゲートウェイ。
【請求項１３】
隣接して設置されたｎ個（ｎは３以上の整数）の基地局と、
前記ｎ個の基地局に択一的に在圏する移動局と、を備え、
各基地局は、自基地局がＳＦＮ（Ｓｙｓｔｅｍ Ｆｒａｍｅ Ｎｕｍｂｅｒ）の生成を開始する一のタイミングと、他の基地局がＳＦＮの生成をそれぞれ開始するタイミングとの間における互いに異なる位相差を記憶すると共に、前記一のタイミングで生成を開始したＳＦＮを、報知情報に付加して無線送出し、
前記移動局が在圏する一の基地局は、自基地局に対して、前記報知情報に付加した一のＳＦＮと、前記移動局で受信された他のＳＦＮとの差分に相当する位相差でＳＦＮの生成を開始する基地局を、前記移動局のハンドオーバ先として特定する、移動通信システム。
【請求項１４】
請求項１３において、
前記ｎ個の基地局同士間の通信を中継するゲートウェイを、さらに備え、
前記一の基地局が、前記ゲートウェイに、前記ハンドオーバ先として特定した基地局に対するハンドオーバ要求を中継させることを特徴とした移動通信システム。
【請求項１５】
隣接して設置されたｎ個（ｎは３以上の整数）の基地局と、
前記ｎ個の基地局に択一的に在圏する移動局と、
前記ｎ個の基地局同士間の通信を中継するゲートウェイと、を備え、
前記ゲートウェイは、
前記ｎ個の基地局がＳＦＮ（Ｓｙｓｔｅｍ Ｆｒａｍｅ Ｎｕｍｂｅｒ）の生成をそれぞれ開始するタイミング同士間における、互いに異なる位相差を記憶し、
前記移動局が在圏する一の基地局から、前記一の基地局が報知情報に付加したＳＦＮと、前記移動局で受信された他の基地局が報知情報に付加したＳＦＮとの差分を受信し、
前記一の基地局に対して前記差分に相当する位相差でＳＦＮの生成を開始する基地局を、前記移動局のハンドオーバ先として特定する、移動通信システム。
【請求項１６】
請求項１４又は１５において、
前記互いに異なる位相差が、前記ゲートウェイに接続された保守装置から指定されることを特徴とした移動通信システム。
【請求項１７】
請求項１４〜１６のいずれか一項において、
前記ゲートウェイが、各基地局とコアネットワークの間の通信をさらに中継することを特徴とした移動通信システム。
【請求項１８】
基地局に用いるハンドオーバ先特定方法であって、
前記基地局がＳＦＮ（Ｓｙｓｔｅｍ Ｆｒａｍｅ Ｎｕｍｂｅｒ）の生成を開始する一のタイミングと、複数の隣接基地局がＳＦＮの生成をそれぞれ開始するタイミングとの間における、互いに異なる位相差を記憶し、
前記一のタイミングで生成を開始したＳＦＮを、報知情報に付加して無線送出し、
前記基地局に対して、前記報知情報に付加した一のＳＦＮと、前記基地局に在圏する移動局で受信された他のＳＦＮとの第１の差分に相当する位相差でＳＦＮの生成を開始する隣接基地局を、前記移動局のハンドオーバ先として特定する、
ことを含むハンドオーバ先特定方法。
【請求項１９】
ゲートウェイに用いるハンドオーバ先特定方法であって、
隣接して設置されたｎ個（ｎは３以上の整数）の基地局同士間の通信を中継し、
前記ｎ個の基地局がＳＦＮ（Ｓｙｓｔｅｍ Ｆｒａｍｅ Ｎｕｍｂｅｒ）の生成をそれぞれ開始するタイミング同士間における、互いに異なる位相差を記憶し、
一の基地局から、前記一の基地局が報知情報に付加したＳＦＮと、前記一の基地局に在圏する移動局で受信された他の基地局が報知情報に付加したＳＦＮとの差分を受信し、
前記一の基地局に対して前記差分に相当する位相差でＳＦＮの生成を開始する基地局を、前記移動局のハンドオーバ先として特定する、
ことを含むハンドオーバ先特定方法。
【請求項２０】
基地局に、
前記基地局がＳＦＮ（Ｓｙｓｔｅｍ Ｆｒａｍｅ Ｎｕｍｂｅｒ）の生成を開始する一のタイミングと、複数の隣接基地局がＳＦＮの生成をそれぞれ開始するタイミングとの間における、互いに異なる位相差を記憶する処理と、
前記一のタイミングで生成を開始したＳＦＮを、報知情報に付加して無線送出する処理と、
前記基地局に対して、前記報知情報に付加した一のＳＦＮと、前記基地局に在圏する移動局で受信された他のＳＦＮとの第１の差分に相当する位相差でＳＦＮの生成を開始する隣接基地局を、前記移動局のハンドオーバ先として特定する処理と、
を実行させるためのハンドオーバ先特定プログラムが格納された非一時的なコンピュータ可読媒体。
【請求項２１】
ゲートウェイに、
隣接して設置されたｎ個（ｎは３以上の整数）の基地局同士間の通信を中継する処理と、
前記ｎ個の基地局がＳＦＮ（Ｓｙｓｔｅｍ Ｆｒａｍｅ Ｎｕｍｂｅｒ）の生成をそれぞれ開始するタイミング同士間における、互いに異なる位相差を記憶する処理と、
一の基地局から、前記一の基地局が報知情報に付加したＳＦＮと、前記一の基地局に在圏する移動局で受信された他の基地局が報知情報に付加したＳＦＮとの差分を受信する処理と、
前記一の基地局に対して前記差分に相当する位相差でＳＦＮの生成を開始する基地局を、前記移動局のハンドオーバ先として特定する処理と、
を実行させるためのハンドオーバ先特定プログラムが格納された非一時的なコンピュータ可読媒体。
【発明の詳細な説明】
【技術分野】
【０００１】
本発明は、基地局、ゲートウェイ、移動通信システム、並びにこれらに用いるハンドオーバ先特定方法及びプログラムに関し、特に移動局のハンドオーバ先となるフェムト基地局を特定する技術に関する。
【背景技術】
【０００２】
近年、屋内へ設置可能な無線基地局の開発が進められている。この無線基地局により形成されるセルは、そのカバーエリアが屋外に設置される無線基地局と比較して極めて小さいことから、一般にフェムトセルと呼ばれる。そこで、以降の説明においては、フェムトセルを形成する無線基地局をフェムト基地局と呼称する。これに対して、フェムトセルより大規模なセル(一般にマクロセルと呼ばれる)を形成する無線基地局をマクロ基地局と呼称し、フェムト基地局と区別することがある。【０００３】
以下、フェムト基地局を適用し、Ｗ−ＣＤＭＡ(Ｗｉｄｅｂａｎｄ Ｃｏｄｅ Ｄｉｖｉｓｉｏｎ Ｍｕｌｔｉｐｌｅ Ａｃｃｅｓｓ)方式に則した通信を行う一般的な移動通信システムの構成及び動作を、図１５及び図１６を参照して説明する。【０００４】
図１５に示すように、移動通信システム１ｚは、隣接して設置された３つのフェムト基地局１０ｚ＿１〜１０ｚ＿３と、これらのフェムト基地局１０ｚ＿１〜１０ｚ＿３に択一的に無線接続する移動局２０ｚとを備えている。【０００５】
ここで、フェムト基地局１０ｚ＿１〜１０ｚ＿３は、ＬＡＮ(Ｌｏｃａｌ Ａｒｅａ Ｎｅｔｗｏｒｋ)等により相互通信可能に接続されている。また、各フェムト基地局１０ｚ＿１〜１０ｚ＿３は、保守装置２ｚからの設定に則してフェムトセルの運用を行う。なお、保守装置２ｚは、ＰＣ(Ｐｅｒｓｏｎａｌ Ｃｏｍｐｕｔｅｒ)等の一般的なユーザ端末である。【０００６】
動作においては、図１６に示すように、まず保守装置２ｚが、ユーザ操作に従って、フェムトセル毎に異なるＰＳＣ(Ｐｒｉｍａｒｙ Ｓｃｒａｍｂｌｉｎｇ Ｃｏｄｅ)を割り当てると共に、その割当状況を示すセル設定リスト２００を作成する(ステップＳ１０１)。ここで、セル設定リスト２００には、図１５に示す如く、フェムト基地局１０ｚ＿１にＰＳＣ＝"Ｃ１"を割り当て、フェムト基地局１０ｚ＿２にＰＳＣ＝"Ｃ２"を割り当て、フェムト基地局１０ｚ＿３にＰＳＣ＝"Ｃ３"を割り当てる旨が登録される。この場合、保守装置２ｚは、フェムト基地局１０ｚ＿１に対してＰＳＣ＝"Ｃ１"の使用を指示し(ステップＳ１０２＿１)、フェムト基地局１０ｚ＿２に対してＰＳＣ＝"Ｃ２"の使用を指示し(ステップＳ１０２＿２)、フェムト基地局１０ｚ＿３に対してＰＳＣ＝"Ｃ３"の使用を指示する(ステップＳ１０２＿３)。【０００７】
次いで、保守装置２ｚは、セル設定リスト２００から、フェムト基地局１０ｚ＿１〜１０ｚ＿３の隣接フェムトセルをそれぞれ抽出すると共に、抽出した隣接フェムトセルにおけるＰＳＣの割当状況を示す隣接セル設定リスト２０１＿１〜２０１＿３をそれぞれ作成する(ステップＳ１０３)。ここで、隣接セル設定リスト２０１＿１には、図１５に示す如く、フェムト基地局１０ｚ＿２及び１０ｚ＿３にＰＳＣ＝"Ｃ２"及び"Ｃ３"がそれぞれ割り当てられた旨が登録される。また、図示を省略するが、隣接セル設定リスト２０１＿２には、フェムト基地局１０ｚ＿１及び１０ｚ＿３にＰＳＣ＝"Ｃ１"及び"Ｃ３"がそれぞれ割り当てられた旨が登録され、隣接セル設定リスト２０１＿３には、フェムト基地局１０ｚ＿１及び１０ｚ＿２にＰＳＣ＝"Ｃ１"及び"Ｃ２"がそれぞれ割り当てられた旨が登録される。そして、保守装置２ｚは、フェムト基地局１０ｚ＿１に対して隣接セル設定リスト２０１＿１を通知し(ステップＳ１０４＿１)、フェムト基地局１０ｚ＿２に対して隣接セル設定リスト２０１＿２を通知し(ステップＳ１０４＿２)、フェムト基地局１０ｚ＿３に対して隣接セル設定リスト２０１＿３を通知する(ステップＳ１０４＿３)。【０００８】
一方、フェムト基地局１０ｚ＿１〜１０ｚ＿３は、保守装置２ｚから指示されたＰＳＣ＝"Ｃ１"〜"Ｃ３"をそれぞれ使用して、報知情報を無線送出する。【０００９】
今、移動局２０ｚがフェムト基地局１０ｚ＿１により形成されるフェムトセル内に位置するとした場合、移動局２０ｚは、フェムト基地局１０ｚ＿１から送出された報知情報を受信し、以てフェムト基地局１０ｚ＿１に無線接続する(ステップＳ１０５)。これにより、フェムト基地局１０ｚ＿１と移動局２０ｚとが通信状態となる(ステップＳ１０６)。【００１０】
この後、図１５に示す如くフェムト基地局１０ｚ＿２に近付くように移動した場合、移動局２０ｚは、周辺セルサーチの結果として、隣接フェムトセルのＰＳＣ(以下、隣接セルＰＳＣと呼称する)２０３＝"Ｃ２"を検知する(ステップＳ１０７)。この時、移動局２０ｚは、隣接セルＰＳＣ ２０３＝"Ｃ２"を、在圏中のフェムト基地局１０ｚ＿１に対して通知する(ステップＳ１０８)。【００１１】
フェムト基地局１０ｚ＿１は、隣接セル設定リスト２０１＿１を参照し、以て隣接セルＰＳＣ ２０３と同一のＰＳＣ＝"Ｃ２"が割り当てられたフェムト基地局１０ｚ＿２を、移動局２０ｚのハンドオーバ先として特定する(ステップＳ１０９)。この時、フェムト基地局１０ｚ＿１は、フェムト基地局１０ｚ＿２に対して、移動局２０ｚからのハンドオーバを受け付けるよう要求する(ステップＳ１１０)。また、フェムト基地局１０ｚ＿１は、移動局２０ｚに対して、フェムト基地局１０ｚ＿２へのハンドオーバを要求する(ステップＳ１１１)。これにより、フェムト基地局１０ｚ＿２と移動局２０ｚとが通信状態となる(ステップＳ１１２)。【００１２】
なお、上記のようなＰＳＣに基づくハンドオーバ先セル(基地局)の特定方法は、例えば非特許文献１に記載されている。
【先行技術文献】
【非特許文献】
【００１３】
【非特許文献１】立川敬二、"Ｗ−ＣＤＭＡ移動通信方式"、平成１３年６月２５日発行、頁９８−１０１
【発明の概要】
【発明が解決しようとする課題】
【００１４】
しかしながら、一般的な移動通信システムには、移動局のハンドオーバ先を一意に特定できない虞があるという課題があった。フェムトセルの運用に際しては、一般に限られた少数(２、３個程度)のＰＳＣが割り当てられる。このため、一般的な移動通信システムでは、同一のＰＳＣを使用する複数の隣接フェムトセルが存在する場合、ハンドオーバ先セルを何ら特定できない。【００１５】
従って、本発明は、ＰＳＣの割当如何に関わらず、移動局のハンドオーバ先を特定することが可能な基地局、ゲートウェイ、移動通信システム、並びにこれらに用いるハンドオーバ先特定方法及びプログラムを提供することを目的とする。
【課題を解決するための手段】
【００１６】
上記の目的を達成するため、本発明の第１の態様に係る基地局は、自基地局がＳＦＮ（Ｓｙｓｔｅｍ Ｆｒａｍｅ Ｎｕｍｂｅｒ）の生成を開始する一のタイミングと、複数の隣接基地局がＳＦＮの生成をそれぞれ開始するタイミングとの間における、互いに異なる位相差を記憶する記憶手段と、前記一のタイミングで生成を開始したＳＦＮを、報知情報に付加して無線送出する送出手段と、自基地局に対して、前記報知情報に付加した一のＳＦＮと、自基地局に在圏する移動局で受信された他のＳＦＮとの第１の差分に相当する位相差でＳＦＮの生成を開始する隣接基地局を、前記移動局のハンドオーバ先として特定する特定手段とを備える。【００１７】
また、本発明の第２の態様に係るゲートウェイは、隣接して設置されたｎ個（ｎは３以上の整数）の基地局同士間の通信を中継する中継手段と、前記ｎ個の基地局がＳＦＮの生成をそれぞれ開始するタイミング同士間における、互いに異なる位相差を記憶する記憶手段と、一の基地局から、前記一の基地局が報知情報に付加したＳＦＮと、前記一の基地局に在圏する移動局で受信された他の基地局が報知情報に付加したＳＦＮとの差分を受信し、前記一の基地局に対して前記差分に相当する位相差でＳＦＮの生成を開始する基地局を、前記移動局のハンドオーバ先として特定する特定手段とを備える。【００１８】
また、本発明の第３の態様に係る移動通信システムは、隣接して設置されたｎ個の基地局と、前記ｎ個の基地局に択一的に在圏する移動局とを備える。各基地局は、自基地局がＳＦＮの生成を開始する一のタイミングと、他の基地局がＳＦＮの生成をそれぞれ開始するタイミングとの間における互いに異なる位相差を記憶すると共に、前記一のタイミングで生成を開始したＳＦＮを、報知情報に付加して無線送出する。前記移動局が在圏する一の基地局は、自基地局に対して、前記報知情報に付加した一のＳＦＮと、前記移動局で受信された他のＳＦＮとの差分に相当する位相差でＳＦＮの生成を開始する基地局を、前記移動局のハンドオーバ先として特定する。【００１９】
また、本発明の第４の態様に係る移動通信システムは、隣接して設置されたｎ個の基地局と、前記ｎ個の基地局に択一的に在圏する移動局と、前記ｎ個の基地局同士間の通信を中継するゲートウェイとを備える。前記ゲートウェイは、前記ｎ個の基地局がＳＦＮの生成をそれぞれ開始するタイミング同士間における、互いに異なる位相差を記憶し、前記移動局が在圏する一の基地局から、前記一の基地局が報知情報に付加したＳＦＮと、前記移動局で受信された他の基地局が報知情報に付加したＳＦＮとの差分を受信し、前記一の基地局に対して前記差分に相当する位相差でＳＦＮの生成を開始する基地局を、前記移動局のハンドオーバ先として特定する。【００２０】
また、本発明の第５の態様に係るハンドオーバ先特定方法は、基地局に用いるハンドオーバ先特定方法を提供する。このハンドオーバ先特定方法は、前記基地局がＳＦＮの生成を開始する一のタイミングと、複数の隣接基地局がＳＦＮの生成をそれぞれ開始するタイミングとの間における、互いに異なる位相差を記憶し、前記一のタイミングで生成を開始したＳＦＮを、報知情報に付加して無線送出し、前記基地局に対して、前記報知情報に付加した一のＳＦＮと、前記基地局に在圏する移動局で受信された他のＳＦＮとの第１の差分に相当する位相差でＳＦＮの生成を開始する隣接基地局を、前記移動局のハンドオーバ先として特定することを含む。【００２１】
また、本発明の第６の態様に係るハンドオーバ先特定方法は、ゲートウェイに用いるハンドオーバ先特定方法を提供する。このハンドオーバ先特定方法は、隣接して設置されたｎ個の基地局同士間の通信を中継し、前記ｎ個の基地局がＳＦＮの生成をそれぞれ開始するタイミング同士間における、互いに異なる位相差を記憶し、一の基地局から、前記一の基地局が報知情報に付加したＳＦＮと、前記一の基地局に在圏する移動局で受信された他の基地局が報知情報に付加したＳＦＮとの差分を受信し、前記一の基地局に対して前記差分に相当する位相差でＳＦＮの生成を開始する基地局を、前記移動局のハンドオーバ先として特定することを含む。【００２２】
また、本発明の第７の態様に係るハンドオーバ先特定プログラムは、基地局に、前記基地局がＳＦＮ（Ｓｙｓｔｅｍ Ｆｒａｍｅ Ｎｕｍｂｅｒ）の生成を開始する一のタイミングと、複数の隣接基地局がＳＦＮの生成をそれぞれ開始するタイミングとの間における、互いに異なる位相差を記憶する処理と、前記一のタイミングで生成を開始したＳＦＮを、報知情報に付加して無線送出する処理と、前記基地局に対して、前記報知情報に付加した一のＳＦＮと、前記基地局に在圏する移動局で受信された他のＳＦＮとの第１の差分に相当する位相差でＳＦＮの生成を開始する隣接基地局を、前記移動局のハンドオーバ先として特定する処理とを実行させる。【００２３】
さらに、本発明の第８の態様に係るハンドオーバ先特定プログラムは、ゲートウェイに、隣接して設置されたｎ個（ｎは３以上の整数）の基地局同士間の通信を中継する処理と、前記ｎ個の基地局がＳＦＮ（Ｓｙｓｔｅｍ Ｆｒａｍｅ Ｎｕｍｂｅｒ）の生成をそれぞれ開始するタイミング同士間における、互いに異なる位相差を記憶する処理と、一の基地局から、前記一の基地局が報知情報に付加したＳＦＮと、前記一の基地局に在圏する移動局で受信された他の基地局が報知情報に付加したＳＦＮとの差分を受信する処理と、前記一の基地局に対して前記差分に相当する位相差でＳＦＮの生成を開始する基地局を、前記移動局のハンドオーバ先として特定する処理とを実行させる。
【発明の効果】
【００２４】
本発明によれば、ＰＳＣの割当如何に関わらず、移動局のハンドオーバ先を特定することが可能である。
【図面の簡単な説明】
【００２５】
【図１】本発明の実施の形態１に係る移動通信システムの構成例を示したブロック図である。
【図２】本発明の実施の形態１に係る基地局の構成例を示したブロック図である。
【図３】本発明の実施の形態１に係る移動通信システムの動作例を示したシーケンス図である。
【図４】本発明の実施の形態１に係る基地局における基準タイミング取得動作の一例を示したブロック図である。
【図５】本発明の実施の形態１に係る基地局における基準タイミング取得動作の他の例を示したブロック図である。
【図６】本発明の実施の形態１に係る基地局におけるＳＦＮ生成開始タイミングの設定動作例を示したシーケンス図である。
【図７】本発明の実施の形態２に係る移動通信システムの構成例を示したブロック図である。
【図８】本発明の実施の形態２に係る移動通信システムの動作例を示したシーケンス図である。
【図９】本発明の実施の形態３に係る移動通信システムの構成例を示したブロック図である。
【図１０】本発明の実施の形態３に係るゲートウェイの構成例を示したブロック図である。
【図１１】本発明の実施の形態３に係る移動通信システムの動作例を示したシーケンス図である。
【図１２】本発明の実施の形態３に係る移動通信システムに用いるセル設定リストの一例を示した図である。
【図１３】本発明の実施の形態４に係る移動通信システムの構成例を示したブロック図である。
【図１４】本発明の実施の形態４に係る移動通信システムの動作例を示したシーケンス図である。
【図１５】一般的な移動通信システムの構成例を示したブロック図である。
【図１６】一般的な移動通信システムの動作例を示したシーケンス図である。
【発明を実施するための形態】
【００２６】
以下、本発明に係る移動通信システムの実施の形態１〜４を、図１〜図１４を参照して説明する。なお、各図面において、同一要素には同一の符号が付されており、説明の明確化のため、必要に応じて重複説明は省略される。
【００２７】
[実施の形態１]
図１に示すように、本実施の形態に係る移動体通信システム１は、隣接して設置された、例えば３つのフェムト基地局１０＿１〜１０＿３(以下、符号１０で総称することがある)と、これらのフェムト基地局１０＿１〜１０＿３に択一的に無線接続する移動局２０とを備えている。
【００２８】
ここで、フェムト基地局１０＿１〜１０＿３は、ＬＡＮ等により相互通信可能に接続されている。また、各フェムト基地局１０＿１〜１０＿３は、保守装置２からの設定に則してフェムトセルの運用を行う。図示の例では、フェムト基地局１０＿１〜１０＿３に、同一のＰＳＣ＝"Ｃ１"が割り当てられている。なお、保守装置２には、例えばＰＣ等のユーザ端末を用いることができる。
【００２９】
動作において、まずフェムト基地局１０＿１〜１０＿３は、保守装置２から通知されたセル設定リスト１００をそれぞれ記憶する。ここで、セル設定リスト１００には、フェムト基地局１０＿１〜１０＿３がＳＦＮの生成をそれぞれ開始するタイミング同士間における、互いに異なる位相差(以下、ＳＦＮ位相差と呼称する)が登録されている。図示の例では、セル設定リスト１００は、フェムト基地局１０＿２が、フェムト基地局１０＿１におけるＳＦＮ１の生成開始タイミングから"１０ＴＴＩ(Ｔｒａｎｓｍｓｉｏｎ Ｔｉｍｅ Ｉｎｔｅｒｖａｌ)"だけ遅れたタイミングでＳＦＮ２の生成を開始し、フェムト基地局１０＿３が、ＳＦＮ１の生成開始タイミングから"２０ＴＴＩ"だけ遅れたタイミングでＳＦＮの生成を開始すべきことを示している。
【００３０】
そして、フェムト基地局１０＿１は、セル設定リスト１００中の登録内容に従い、移動体通信システム１における所定の基準タイミングで生成を開始したＳＦＮ１を、報知情報１０１＿１に付加して無線送出する。同様にして、フェムト基地局１０＿２は、基準タイミングから"１０ＴＴＩ"だけ遅れたタイミングで生成を開始したＳＦＮ２を、報知情報１０１＿２に付加して無線送出し、フェムト基地局１０＿３は、基準タイミングから"２０ＴＴＩ"だけ遅れたタイミングで生成を開始したＳＦＮ３を、報知情報１０１＿３に付加して無線送出する。ここで、各ＳＦＮ１〜ＳＦＮ３は、ＴＴＩ毎に"１"だけインクリメントされる。すなわち、任意の時刻におけるＳＦＮ１の値を"Ｘ"(Ｘは０以上の整数)と定義すると、ＳＦＮ２＝"Ｘ＋１０"及びＳＦＮ３＝"Ｘ＋２０"が成立する。なお、以降の説明においては、報知情報１０１＿１〜１０１＿３を、符号１０１で総称することがある。
【００３１】
今、移動局２０がフェムト基地局１０＿１との通信状態に在るとする。この場合、移動局２０は、フェムト基地局１０＿１からＣＦＮ(Ｃｏｎｎｅｃｔｉｏｎ Ｆｒａｍｅ Ｎｕｍｂｅｒ)が付加されたデータ１０２を受信する。ここで、以降の説明の便宜上、ＣＦＮ＝"Ｘ＋１００"(ＳＦＮ１＋１００)が成立するものとする。
【００３２】
この後、図１に示す如くフェムト基地局１０＿２に近付くように移動した場合、移動局２０は、周辺セルサーチの結果としてフェムト基地局１０＿２の存在を検知すると共に、報知情報１０１＿２を受信する。この時、移動局２０は、ＣＦＮと、報知情報１０１＿２に付加されたＳＦＮ２との差分(以下、ＣＦＮ−ＳＦＮ間差分と呼称する)１０３＝"９０"を、フェムト基地局１０＿１に対して通知する。
【００３３】
フェムト基地局１０＿１は、ＣＦＮ−ＳＦＮ間差分１０３("ＣＦＮ−ＳＦＮ２")、ＣＦＮ、及びＳＦＮ１を用い下記の式(１)に従って、ＳＦＮ２とＳＦＮ１との差分(以下、ＳＦＮ間差分と呼称する)を算出する。
【００３４】
ＳＦＮ間差分 ＝ ＳＦＮ２ − ＳＦＮ１
＝ (ＣＦＮ − ＳＦＮ１) − (ＣＦＮ − ＳＦＮ２)
＝ "１００" − "９０"
＝ "１０"                                    … 式(１)
【００３５】
そして、フェムト基地局１０＿１は、セル設定リスト１００を参照し、自基地局１０＿１に対して、上記の式(１)で算出したＳＦＮ間差分＝"１０"に相当するＳＦＮ位相差"１０ＴＴＩ"でＳＦＮの生成を開始するフェムト基地局１０＿２を、移動局２０のハンドオーバ先として特定する。なお、ＳＦＮ間差分の算出値には、ある程度の誤差を許容するものとする。
【００３６】
このように、本実施の形態においては、同一のＰＳＣを使用する複数の隣接フェムトセルが存在する場合であっても、ハンドオーバ先セルを一意に特定できる。なお、図示を省略するが、マクロ基地局に上記のセル設定リスト１００を保持させても良い。この場合、マクロセルからフェムトセルへのハンドオーバに際して同一のＰＳＣを使用する複数のフェムトセルが存在しても、マクロ基地局は、ハンドオーバ先のフェムトセルを一意に特定できる。
【００３７】
また、上記のＣＦＮ−ＳＦＮ間差分１０３の通知自体は、一般的な移動局においても実行されている。このため、既存の移動局を流用できるというメリットもある。なお、移動局２０が、ＣＦＮ−ＳＦＮ間差分１０３に代えて、上記のＳＦＮ間差分をフェムト基地局１０へ通知を通知するようにしても良い。この場合、フェムト基地局１０の処理負荷が軽減される。
【００３８】
以下、フェムト基地局１０の具体的な構成例及び動作例を、図２〜図６を参照して詳細に説明する。
【００３９】
図２に示すように、フェムト基地局１０は、移動局２０との無線信号の送受信を行う無線Ｉ／Ｆ １１と、隣接フェムト基地局及び保守装置２とのインタフェースとして機能するローカルＩ／Ｆ１２と、セル設定リスト記憶部１３と、報知情報送出部１４と、ハンドオーバ先特定部１５とを備えている。なお、ハンドオーバ先セルの特定に関連しない構成要素については、その説明を省略する。
【００４０】
この内、セル設定リスト記憶部１３は、ローカルＩ／Ｆ１２を介して保守装置２から通知されたセル設定リスト１００を、メモリ等の記憶媒体に記憶する。
【００４１】
報知情報送出部１４は、セル設定リスト１００中の登録内容に則したタイミングでＳＦＮの生成を開始すると共に、ＳＦＮをＴＴＩ毎に"１"だけインクリメントする。報知情報送出部１４は、無線Ｉ／Ｆ１１に、ＳＦＮを付加した報知情報１０１を無線送出させる。この時、報知情報送出部１４は、ＳＦＮをハンドオーバ先特定部１５へ通知する。
【００４２】
ハンドオーバ先特定部１５は、無線Ｉ／Ｆ１１を介して、自基地局１０に在圏する移動局２０から、ＣＦＮ−ＳＦＮ間差分１０３を受信する。この時、ハンドオーバ先特定部１５は、上記の式(１)に従い、ＣＦＮ−ＳＦＮ間差分１０３、ＣＦＮ、及び報知情報送出部１４から通知されたＳＦＮを用いてＳＦＮ間差分を算出する。或いは、ハンドオーバ先特定部１５は、無線Ｉ／Ｆ１１を介して移動局２０から、ＳＦＮ間差分を受信する。そして、ハンドオーバ先特定部１５は、セル設定リスト１００を参照し、自基地局１０に対してＳＦＮ間差分に相当するＳＦＮ位相差でＳＦＮの生成を開始する隣接フェムト基地局を、移動局２０のハンドオーバ先として特定する。
【００４３】
次に、フェムト基地局１０の具体的な動作例を、図３〜図６を参照して詳細に説明する。
【００４４】
図３に示すように、まずフェムト基地局１０＿１〜１０＿３が、基準タイミング１０４を同期させる(ステップＳ１)。具体的には、各フェムト基地局１０＿１〜１０＿３内の報知情報送出部１４が、基準タイミング１０４を、図４に示す如く各フェムト基地局１０＿１〜１０＿３に共通接続された、ＮＴＰ(Ｎｅｔｗｏｒｋ Ｔｉｍｅ Ｐｒｏｔｏｃｏｌ)サーバ等のタイミングサーバ３から取得する。或いは、報知情報送出部１４は、図５に示す如く各フェムト基地局１０＿１〜１０＿３に内蔵されたＧＰＳ(Ｇｌｏｂａｌ Ｐｏｓｉｔｉｏｎｉｎｇ Ｓｙｓｔｅｍ)受信器１６を制御し、以て基準タイミング１０４をＧＰＳ衛星４から取得する。
【００４５】
上記のステップＳ１と並行して、保守装置２は、ユーザ操作に従って、図１に示したセル設定リスト１００を作成する(ステップＳ２)。この時、保守装置２は、セル設定リスト１００と共に、ＳＦＮ１〜ＳＦＮ３の生成開始タイミング１０５＿１〜１０５＿３を、フェムト基地局１０＿１〜１０＿３へそれぞれ通知する(ステップＳ３＿１〜Ｓ３＿３)。なお、以降の説明においては、生成開始タイミング１０５＿１〜１０５＿３を、符号１０５で総称することがある。
【００４６】
各フェムト基地局１０＿１〜１０＿３内のセル設定リスト記憶部１３は、通知されたセル設定リスト１００を記憶する。また、報知情報送出部１４は、通知されたタイミング１０５でＳＦＮの生成を開始し、ＳＦＮを付加した報知情報１０１を無線送出する(ステップＳ４＿１〜Ｓ４＿３)。
【００４７】
これにより、ＳＦＮ１〜ＳＦＮ３の生成開始タイミング同士間に、セル設定リスト１００に登録されたＳＦＮ位相差が生じ、以て任意の時刻において、ＳＦＮ１＝"Ｘ"、ＳＦＮ２＝"Ｘ＋１０"、及びＳＦＮ３＝"Ｘ＋２０"という関係が成立することとなる。
【００４８】
今、移動局２０がフェムト基地局１０＿１により形成されるフェムトセル内に位置するとした場合、移動局２０は、フェムト基地局１０＿１から送出された報知情報１０１＿１を受信し、以てフェムト基地局１０＿１に無線接続する(ステップＳ５)。これにより、フェムト基地局１０＿１と移動局２０とが通信状態となる(ステップＳ６)。
【００４９】
この後、フェムト基地局１０＿２に近付くように移動した場合、移動局２０は、周辺セルサーチの結果としてフェムト基地局１０＿２の存在を検知すると共に、報知情報１０１＿２を受信する(ステップＳ７)。この時、移動局２０は、フェムト基地局１０＿１から受信したＣＦＮと、報知情報１０１＿２に付加されたＳＦＮ２とのＣＦＮ−ＳＦＮ間差分１０３を測定する(ステップＳ８)。そして、移動局２０は、測定したＣＦＮ−ＳＦＮ間差分１０３をフェムト基地局１０＿１へ通知する(ステップＳ９)。
【００５０】
フェムト基地局１０＿１内のハンドオーバ先特定部１５は、ＣＦＮ−ＳＦＮ間差分１０３、ＣＦＮ、及び報知情報送出部１４から通知されたＳＦＮ１を用いて、ＳＦＮ２とＳＦＮ１とのＳＦＮ間差分を算出する。また、ハンドオーバ先特定部１５は、セル設定リスト１００を参照し、フェムト基地局１０＿１に対して、算出したＳＦＮ間差分に相当するＳＦＮ位相差でＳＦＮの生成を開始するフェムト基地局１０＿２を、移動局２０のハンドオーバ先として特定する(ステップＳ１０)。
【００５１】
この時、ハンドオーバ先特定部１５は、ローカルＩ／Ｆ１２を介してフェムト基地局１０＿２に対し、移動局２０からのハンドオーバを受け付けるよう要求する(ステップＳ１１)。また、ハンドオーバ先特定部１５は、無線Ｉ／Ｆ １１を介して移動局２０に対し、フェムト基地局１０＿２へのハンドオーバを要求する(ステップＳ１２)。これにより、フェムト基地局１０＿２と移動局２０とが通信状態となる(ステップＳ１３)。
【００５２】
また、ＳＦＮ１〜ＳＦＮ３の生成開始タイミング同士間におけるＳＦＮ位相差は、図６に示す如く生じさせることもできる。すなわち、保守装置２は、図３に示した上記のステップＳ３＿１〜Ｓ３＿３に代えて、図６に示すステップＳ１４、Ｓ１６、Ｓ１８、及びＳ２０＿１〜Ｓ２０＿３を実行する。一方、フェムト基地局１０＿１〜１０＿３は、図３に示した上記のステップＳ１、及びＳ４＿１〜Ｓ４＿３に代えて、図６に示すステップＳ１５、Ｓ１７、及びＳ１９をそれぞれ実行する。
【００５３】
より具体的には、保守装置２は、上記のステップＳ２でセル設定リスト１００を作成した後、リセット信号１０６＿１をフェムト基地局１０＿１へ送信する(ステップＳ１４)。フェムト基地局１０＿１内の報知情報送出部１４は、リセット信号１０６＿１の受信に応じて、ＳＦＮ１の生成開始タイミングをリセットする(ステップＳ１５)。
【００５４】
リセット信号１０６＿１の送信時点から"１０ＴＴＩ"が経過した場合、保守装置２は、リセット信号１０６＿２をフェムト基地局１０＿２へ送信する(ステップＳ１６)。フェムト基地局１０＿２内の報知情報送出部１４は、リセット信号１０６＿２の受信に応じて、ＳＦＮ２の生成開始タイミングをリセットする(ステップＳ１７)。
【００５５】
リセット信号１０６＿２の送信時点からさらに"１０ＴＴＩ"が経過した場合、保守装置２は、リセット信号１０６＿３をフェムト基地局１０＿３へ送信する(ステップＳ１８)。フェムト基地局１０＿３内の報知情報送出部１４は、リセット信号１０６＿３の受信に応じて、ＳＦＮ３の生成開始タイミングをリセットする(ステップＳ１９)。
【００５６】
そして、保守装置２は、セル設定リスト１００を、フェムト基地局１０＿１〜１０＿３へそれぞれ通知する(ステップＳ２０＿１〜Ｓ２０＿３)。この後、フェムト基地局１０＿１〜１０＿３と移動局２０の協調動作により、図３に示した上記のステップＳ５〜Ｓ１３が実行されることとなる。
【００５７】
[実施の形態２]
図７に示すように、本実施の形態に係る移動通信システム１ａは、フェムト基地局１０＿１〜１０＿３同士間の通信を中継するＲＡＮ−ＧＷ(Ｒａｄｉｏ Ａｃｃｅｓｓ Ｎｅｔｗｏｒｋ Ｇａｔｅｗａｙ)３０を備えている点で、上記の実施の形態１(図１に示した移動通信システム１)と異なる。
【００５８】
ここで、各フェムト基地局１０＿１〜１０＿３は、例えば、ＡＤＳＬ(Ａｓｙｍｍｅｔｒｉｃ Ｄｉｇｉｔａｌ Ｓｕｂｓｃｒｉｂｅｒ Ｌｉｎｅ)や光ファイバ等の通信回線を用い、ＩＰ(Ｉｎｔｅｒｎｅｔ Ｐｒｏｔｏｃｏｌ)通信網やインターネット等を経由してＲＡＮ−ＧＷ ３０に接続される。また、ＲＡＮ−ＧＷ ３０は、各フェムト基地局１０＿１〜１０＿３と、通信事業者が運用するコアネットワーク(図示せず)との間の通信も中継する。
【００５９】
本実施の形態に特有の動作として、大略、ＲＡＮ−ＧＷ ３０が、移動局２０の在圏フェムト基地局から、ハンドオーバ先のフェムト基地局へのハンドオーバ要求を中継する。具体的には、フェムト基地局１０＿１〜１０＿３が、図３に示した上記のステップＳ１１に代えて、図８に示すステップＳ２１を実行する。一方、ＲＡＮ−ＧＷ ３０は、図８に示すステップＳ２２を実行する。
【００６０】
フェムト基地局１０＿１からフェムト基地局１０＿２へのハンドオーバを例に取ると、フェムト基地局１０＿１内のハンドオーバ先特定部１５は、上記のステップＳ１０の後、フェムト基地局１０＿２宛てのハンドオーバ要求を、ＲＡＮ−ＧＷ ３０へ送信する(ステップＳ２１)。ＲＡＮ−ＧＷ ３０は、受信したハンドオーバ要求を、フェムト基地局１０＿２へ転送する(ステップＳ２２)。
【００６１】
これと並行して、ハンドオーバ先特定部１５は、上記のステップＳ１２と同様、移動局２０に対してハンドオーバを要求する。これにより、上記のステップＳ１３と同様、フェムト基地局１０＿２と移動局２０とが通信状態となる。
【００６２】
[実施の形態３]
図９に示すように、本実施の形態に係る移動通信システム１ｂは、各フェムト基地局１０＿１〜１０＿３が、ＳＦＮ間差分をＲＡＮ−ＧＷ３０へ送信する点と、ＲＡＮ−ＧＷ３０が、保守装置２から通知されたセル設定リスト１０を参照して移動局２０のハンドオーバ先セルを特定する点で、上記の実施の形態２(図７に示した移動通信システム１ａ)と異なる。すなわち、本実施の形態においては、ＲＡＮ−ＧＷ３０が、各フェムト基地局１０＿１〜１０＿３に代わって、ハンドオーバ先セルを特定する。
【００６３】
また、図１０に示すように、ＲＡＮ−ＧＷ３０は、通信中継部３１と、セル設定リスト記憶部３２と、ハンドオーバ先特定部３３とを備えている。この内、通信中継部３１は、フェムト基地局１０＿１〜１０＿３同士間の通信、及び各フェムト基地局１０＿１〜１０＿３とコアネットワークの間の通信を中継する。また、通信中継部３１は、保守装置２から受信したセル設定リスト１０を、セル設定リスト記憶部３２に記憶させる。一方、ハンドオーバ先特定部３３は、通信中継部３１を介して、各フェムト基地局１０＿１〜１０＿３からＳＦＮ間差分を受信する。この時、ハンドオーバ先特定部３３は、セル設定リスト１００を参照し、ＳＦＮ間差分の送信元のフェムト基地局に対して、ＳＦＮ間差分に相当するＳＦＮ位相差でＳＦＮの生成を開始する隣接フェムト基地局を移動局２０のハンドオーバ先として特定する。
【００６４】
次に、移動通信システム１ｂの具体的な動作例を、図１１及び図１２を参照して詳細に説明する。
【００６５】
図１１に示すように、まずフェムト基地局１０＿１〜１０＿３が、図３に示した上記のステップＳ１と同様にして、基準タイミング１０４を同期させる。これと並行して、保守装置２は、上記のステップＳ２と同様にして、セル設定リスト１００を作成する。
【００６６】
この時、保守装置２は、ＳＦＮ１〜ＳＦＮ３の生成開始タイミング１０５＿１〜１０５＿３を、フェムト基地局１０＿１〜１０＿３へそれぞれ通知する(ステップＳ２３＿１〜Ｓ２３＿３)。また、保守装置２は、セル設定リスト１００を、ＲＡＮ−ＧＷ３０へ通知する(ステップＳ２４)。
【００６７】
ＲＡＮ−ＧＷ３０内のセル設定リスト記憶部３２は、通知されたセル設定リスト１００を記憶する。
【００６８】
一方、各フェムト基地局１０＿１〜１０＿３は、上記のステップＳ４＿１〜Ｓ４＿３と同様にして、通知されたタイミング１０５でＳＦＮの生成を開始し、ＳＦＮを付加した報知情報１０１を無線送出する。これにより、ＳＦＮ１〜ＳＦＮ３の生成開始タイミング同士間に、セル設定リスト１００に登録されたＳＦＮ位相差が生じ、以て任意の時刻において、ＳＦＮ１＝"Ｘ"、ＳＦＮ２＝"Ｘ＋１０"、及びＳＦＮ３＝"Ｘ＋２０"という関係が成立することとなる。
【００６９】
今、移動局２０がフェムト基地局１０＿１により形成されるフェムトセル内に位置するとした場合、移動局２０は、上記のステップＳ５と同様にして、フェムト基地局１０＿１から送出された報知情報１０１＿１を受信し、以てフェムト基地局１０＿１に無線接続する。これにより、上記のステップＳ６と同様、フェムト基地局１０＿１と移動局２０とが通信状態となる。
【００７０】
この後、フェムト基地局１０＿２に近付くように移動した場合、移動局２０は、上記のステップＳ７と同様にして、周辺セルサーチの結果としてフェムト基地局１０＿２の存在を検知すると共に、報知情報１０１＿２を受信する。この時、移動局２０は、上記のステップＳ８と同様にして、フェムト基地局１０＿１から受信したＣＦＮと、報知情報１０１＿２に付加されたＳＦＮ２とのＣＦＮ−ＳＦＮ間差分１０３を測定する。そして、移動局２０は、上記のステップＳ９と同様にして、測定したＣＦＮ−ＳＦＮ間差分１０３をフェムト基地局１０＿１へ通知する。
【００７１】
フェムト基地局１０＿１は、上記の式(１)に従って、ＳＦＮ２とＳＦＮ１とのＳＦＮ間差分を算出する。この時、フェムト基地局１０＿１は、宛先不定のハンドオーバ要求と共に、算出したＳＦＮ間差分をＲＡＮ−ＧＷ３０へ送信する(ステップＳ２５)。
【００７２】
ＲＡＮ−ＧＷ３０内のハンドオーバ先特定部３３は、セル設定リスト１００を参照し、フェムト基地局１０＿１に対して、受信したＳＦＮ間差分に相当するＳＦＮ位相差でＳＦＮの生成を開始するフェムト基地局１０＿２を、移動局２０のハンドオーバ先として特定する(ステップＳ２６)。この時、ハンドオーバ先特定部３３は、通信中継部３１を介してフェムト基地局１０＿２に対し、フェムト基地局１０＿１からのハンドオーバ要求を転送する(ステップＳ２７)。
【００７３】
また、フェムト基地局１０＿１は、上記のステップＳ１２と同様にして、移動局２０に対してハンドオーバ要求を送信する。これにより、上記のステップＳ１３と同様にして、フェムト基地局１０＿２と移動局２０とが通信状態となる。
【００７４】
このように、本実施の形態においては、同一のＰＳＣを使用する複数の隣接フェムトセルが存在する場合であっても、ハンドオーバ先セルを一意に特定できる。なお、ＲＡＮ−ＧＷ３０は、コアネットワーク及びＲＮＣ(Ｒａｄｉｏ Ｎｅｔｗｏｒｋ Ｃｏｎｔｒｏｌｌｅｒ)を介してマクロ基地局と通信可能であり、マクロ基地局におけるＳＦＮの生成開始タイミングを制御できる。このため、ＲＡＮ−ＧＷ３０は、マクロセルからフェムトセルへのハンドオーバに際しても、ハンドオーバ先のフェムトセルを一意に特定できる。
【００７５】
なお、ＲＡＮ−ＧＷ３０は、セル設定リスト１００に代えて、図１２に示すセル設定リスト１００ａを保持しても良い。このセル設定リスト１００ａには、ＳＦＮ間差分の送信元基地局と、その隣接基地局と、送信元基地局を基準とする各隣接基地局との相対的なＳＦＮ位相差とが対応付けて登録されている。この場合、ＲＡＮ−ＧＷ３０は、セル設定リスト１００ａの参照に際して、各フェムト基地局１０＿１〜１０＿３から受信したＳＦＮ間差分の極性を考慮する必要が無い。このため、ＲＡＮ−ＧＷ３０の処理負荷を軽減できる。なお、セル設定リスト１００ａは、保守装置２から通知されても良いし、ＲＡＮ−ＧＷ３０がセル設定リスト１００から自律的に作成しても良い。
【００７６】
[実施の形態４]
図１３に示すように、本実施の形態に係る移動通信システム１ｃは、保守装置２がＲＡＮ−ＧＷ３０のみに接続された点で、上記の実施の形態２(図７に示した移動通信システム１ａ)と異なる。なお、保守装置２は、ユーザ端末であっても良いし、通信事業者が使用する事業者端末であっても良い。
【００７７】
動作においては、図１４に示すように、ＲＡＮ−ＧＷ３０が、保守装置２からセル設定リスト１００を取得する(ステップＳ２８)。そして、ＲＡＮ−ＧＷ３０は、保守装置２に代わって図３に示した上記のステップＳ３＿１〜Ｓ３＿３を実行し、以てセル設定リスト１００と共に、ＳＦＮ１〜ＳＦＮ３の生成開始タイミング１０５＿１〜１０５＿３を、フェムト基地局１０＿１〜１０＿３へそれぞれ通知する。
【００７８】
一方、フェムト基地局１０＿１〜１０＿３と移動局２０の協調動作により、図３に示した上記のステップＳ１、Ｓ４＿１〜Ｓ４＿３、Ｓ５〜Ｓ１０が実行される。
【００７９】
フェムト基地局１０＿１からフェムト基地局１０＿２へのハンドオーバを例に取ると、フェムト基地局１０＿１は、上記のステップＳ１０の後、図８に示した上記のステップＳ２１を実行し、以てフェムト基地局１０＿２宛てのハンドオーバ要求を、ＲＡＮ−ＧＷ ３０へ送信する。ＲＡＮ−ＧＷ ３０は、上記のステップＳ２２を実行し、以て受信したハンドオーバ要求を、フェムト基地局１０＿２へ転送する。
【００８０】
これと並行して、フェムト基地局１０＿１は、上記のステップＳ１２を実行し、以て移動局２０に対してハンドオーバを要求する。これにより、上記のステップＳ１３と同様、フェムト基地局１０＿２と移動局２０とが通信状態となる。
【００８１】
ここで、保守装置２としてユーザ端末を用いた場合、ユーザは、セル設定リスト１００を、フェムト基地局１０＿１〜１０＿３の設置場所とは異なる遠隔地から操作できる。このため、フェムト基地局１０＿１〜１０＿３のメンテナンスに際しての利便性を向上できる。一方、保守装置２として事業者端末を用いた場合、通信事業者は、ＲＡＮ−ＧＷ３０配下に接続される全てのフェムト基地局を、ユーザによるメンテナンスを伴うこと無く一元的に管理することができる。
【００８２】
また、図示を省略するが、上記の実施の形態３(図９に示した移動通信システム１ｂ)において、保守装置２をＲＡＮ−ＧＷ３０のみに接続しても良い。この場合も、本実施の形態と同様の効果が得られる。
【００８３】
なお、上記の実施の形態によって本発明は限定されるものではなく、特許請求の範囲の記載に基づき、当業者によって種々の変更が可能なことは明らかである。例えば、上記の実施の形態に示したフェムト基地局及びＲＡＮ−ＧＷの各処理を、コンピュータに実行させるためのプログラムとして提供することもできる。この場合、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されても良い。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００８４】
この出願は、２００９年１０月７日に出願された日本出願特願２００９−２３３１９０を基礎とする優先権を主張し、その開示の全てをここに取り込む。
【産業上の利用可能性】
【００８５】
本発明は、基地局、ゲートウェイ、移動通信システム、並びにこれらに用いるハンドオーバ先特定方法及びプログラムに適用され、特に移動局のハンドオーバ先となるフェムト基地局を特定する用途に適用される。
【符号の説明】
【００８６】
１, １ａ〜１ｃ  移動通信システム
２  保守装置
３  タイミングサーバ
４  ＧＰＳ衛星
１０, １０＿１〜１０＿３  フェムト基地局
１１  無線Ｉ／Ｆ
１２  ローカルＩ／Ｆ
１３, ３２  セル設定リスト記憶部
１４  報知情報送出部
１５, ３３  ハンドオーバ先特定部
１６  ＧＰＳ受信器
２０  移動局
３０  ＲＡＮ−ＧＷ
３１  通信中継部
１００, １００ａ  セル設定リスト
１０１, １０１＿１〜１０１＿３  報知情報
１０２  データ
１０３  ＣＦＮ−ＳＦＮ間差分
１０４  基準タイミング
１０５, １０５＿１〜１０５＿３  ＳＦＮ生成開始タイミング
１０６, １０６＿１〜１０６＿３  リセット信号
【図１】
2011043015.tif 000003
【図２】
2011043015.tif 000004
【図３】
2011043015.tif 000005
【図４】
2011043015.tif 000006
【図５】
2011043015.tif 000007
【図６】
2011043015.tif 000008
【図７】
2011043015.tif 000009
【図８】
2011043015.tif 000010
【図９】
2011043015.tif 000011
【図１０】
2011043015.tif 000012
【図１１】
2011043015.tif 000013
【図１２】
2011043015.tif 000014
【図１３】
2011043015.tif 000015
【図１４】
2011043015.tif 000016
【図１５】
2011043015.tif 000017
【図１６】
2011043015.tif 000018
【手続補正書】
【提出日】平成24年3月15日(2012.3.15)
【手続補正１】
【補正対象書類名】特許請求の範囲
【補正対象項目名】請求項２０
【補正方法】変更
【補正の内容】
【請求項２０】
基地局に、
前記基地局がＳＦＮ（Ｓｙｓｔｅｍ Ｆｒａｍｅ Ｎｕｍｂｅｒ）の生成を開始する一のタイミングと、複数の隣接基地局がＳＦＮの生成をそれぞれ開始するタイミングとの間における、互いに異なる位相差を記憶する処理と、
前記一のタイミングで生成を開始したＳＦＮを、報知情報に付加して無線送出する処理と、
前記基地局に対して、前記報知情報に付加した一のＳＦＮと、前記基地局に在圏する移動局で受信された他のＳＦＮとの第１の差分に相当する位相差でＳＦＮの生成を開始する隣接基地局を、前記移動局のハンドオーバ先として特定する処理と、
を実行させるためのハンドオーバ先特定プログラム。
【手続補正２】
【補正対象書類名】特許請求の範囲
【補正対象項目名】請求項２１
【補正方法】変更
【補正の内容】
【請求項２１】
ゲートウェイに、
隣接して設置されたｎ個（ｎは３以上の整数）の基地局同士間の通信を中継する処理と、
前記ｎ個の基地局がＳＦＮ（Ｓｙｓｔｅｍ Ｆｒａｍｅ Ｎｕｍｂｅｒ）の生成をそれぞれ開始するタイミング同士間における、互いに異なる位相差を記憶する処理と、
一の基地局から、前記一の基地局が報知情報に付加したＳＦＮと、前記一の基地局に在圏する移動局で受信された他の基地局が報知情報に付加したＳＦＮとの差分を受信する処理と、
前記一の基地局に対して前記差分に相当する位相差でＳＦＮの生成を開始する基地局を、前記移動局のハンドオーバ先として特定する処理と、
を実行させるためのハンドオーバ先特定プログラム。
【国際調査報告】
2011043015.tif 000019
2011043015.tif 000020